(57)【特許請求の範囲】
【請求項１】
復水系ポンプが複数台で構成され、復水器内の水位が高くなった時、復水を系外へ排出する系外排出弁を有する発電プラントの復水ポンプ制御方式において、復水系ポンプが全台運転中１台がトリップした場合、一時的に前記系外排出弁を強制的に全閉させることを特徴とした復水ポンプ制御方式。
【発明の詳細な説明】
【０００１】
【発明の属する技術分野】
本発明は、火力発電プラントにおいて復水ポンプ出口から系外に排出する復水器高水位制御装置を有し、復水ポンプ２台運転中１台トリップした場合の復水器高水位制御装置作動による運転継続復水ポンプの過流量防止制御方式に関する。
【０００２】
【従来の技術】
従来の技術を図１の火力発電プラントの復水給水系統について説明する。蒸気タービン２にて発電に寄与した蒸気は、復水器７にて海水２０と熱交換され、その後凝縮し復水器７に一時貯蔵される。
【０００３】
復水器７に一時貯蔵された凝縮水（復水）は、復水ポンプ８にて抽出され、給水加熱器９で加熱された後、脱気器水位調節弁１０を介して脱気器１１へ流入する。
【０００４】
脱気器１１に流入した復水は、ボイラ給水ポンプ１２にて抽出され給水加熱器１３にて加熱された後にボイラ１へ給水される。
【０００５】
復水器７は、貯蔵水の水位上昇により海水２０と蒸気タービン排気蒸気５の熱交換が低下する事を防止するために、復水器７水位が一定値以上に上がると復水器スピルオーバー弁３１を開に制御する事により復水器水位を低下させる復水器高水位制御装置３０を設置している。
【０００６】
【発明が解決しようとする課題】
通常のプラント運転は、図１の復水ポンプ８が２台運転をしており１台トリップすると、復水器７からの抽出量が減少するため復水器７の水位が上昇する。
【０００７】
復水器７の水位が規定水位より上昇すると、復水ポンプ８の出口から系外に復水を排出する復水器高水位制御装置３０の復水器スピルオーバ弁３１が開する。
【０００８】
復水器スピルオーバ弁３１が開すると、復水ポンプ８の流出量が増加するため、復水ポンプ８が過大流量状態になる。
【０００９】
過大流量状態となった復水ポンプ８は、オーバーロードにより運転の継続ができなくなるためトリップする。
【００１０】
２台目の復水ポンプ８がトリップすると、ボイラ１に給水する事ができなくなるため、プラント停止に至る問題があった。
【００１１】
本発明の目的は、復水ポンプが過大流量となる事を防止するものである。
【００１２】
【課題を解決するための手段】
上記目的を達成するために発明は、復水ポンプが２台運転中１台トリップして一時的に復水器の水位が上昇しても一定時間は、復水器高水位制御装置を作動させず、復水器スピルオーバ弁３１を開させない制御装置を設置したものである。
【００１３】
【発明の実施の形態】
火力発電プラントの復水系統に本発明を適用した一実例を図２を用いて説明する。
【００１４】
復水器４０に貯蔵された復水は、復水ポンプ４１および復水ポンプ４２にて抽出され、給水加熱器４３にて加熱された後、脱気器水位調節弁４４を介して脱気器４５に供給される。
【００１５】
脱気器４５内の復水は、ボイラ給水ポンプ４６にて抽出され、給水加熱器４７にて加熱された後、給水調節弁４８を介してボイラ４９に給水される。
【００１６】
図３は、復水ポンプ４２トリップ時おける、復水器水位、タービン負荷、復水ポンプ４１通水量および復水ポンプ４２通水量を示すものである。
【００１７】
タービン負荷６０は、１００％負荷にて運転しており、２台の復水ポンプは復水ポンプ４１通常通水量６４および復水ポンプ４２通常通水量６５であり、それぞれ１４０ｔ／ｈである。
【００１８】
この状態において、復水ポンプ４１がトリップする。
【００１９】
２台運転中の復水ポンプが１台トリップした事により、２台分の通水量を復水ポンプ４２１台で賄う事になるため運転を継続している復水ポンプ４２の通水量は、復水ポンプ過流量制限流量６７の２１０ｔ／ｈを越え２３２ｔ／ｈにまで増加し過流量状態になる。
【００２０】
本プラントは、その防止策としてタービン負荷６０を５０％負荷まで降下させ、運転を継続している復水ポンプの通水量を減少させる制御を行っている。
【００２１】
しかし、１００％負荷から５０％負荷までに負荷を降下させる間に運転を継続している復水ポンプ４２は、過流量となるため脱気器水位調節弁開度を復水ポンプ過流量制限流量６７以下の１９３ｔ／ｈ相当の開度まで、復水ポンプ４１トリップと同時に絞り込むものとしている。
【００２２】
その場合、復水ポンプが２台運転中に１台トリップするとため一時的に復水器からの抽出水量が減少するので、復水器の水位が上昇する。
【００２３】
復水器水位が復水器高水位制御装置作動設定水位６３まで上昇するため、復水器高水位制御装置が作動し、復水器スピルオーバ弁５１を開し系外に復水を排出する。
【００２４】
復水器スピルオーバー弁５１が開し復水を系外へ排出すると、その排出水の分復水ポンプ４２の通水量が復水器高水位制御装置作動時の復水ポンプ通水量６６の２３２ｔ／ｈまで増加する。
【００２５】
そこで、復水ポンプ２台運転中１台がトリップし負荷降下を行う場合は、復水器水位が規定水位以上になっても復水器高水位制御装置を一定時間作動させない事により復水器スピルオーバ弁を開しない事としている。
【００２６】
図４は、復水ポンプが２台運転中１台トリップした場合に復水器高水位制御装置を作動させないためのインターロックを示したものである。
【００２７】
復水ポンプ４１停止信号８０または、復水ポンプ４２停止信号８１が発生すると、タイマ８４が働く４５分間復水器スピルオーバー弁８３を強制的に閉に制御を行っている。
【００２８】
【発明の効果】
本発明によれば、復水器高水位制御装置は、復水ポンプが２台運転時１台トリップした場合に復水器の水位が上昇し規定値になった場合でも、復水器高水位制御装置を一定時間作動させない事により、復水器スピルオーバ弁が開して運転継続している復水ポンプが過負荷になる事を防止することができる。
【図面の簡単な説明】
【図１】従来技術を説明する図である。
【図２】本発明を説明する図である。
【図３】本発明を説明する図である。
【図４】本発明を説明する図である。
【符号の説明】
１…ボイラ、２…蒸気タービン、５…蒸気タービン排気蒸気、６…発電機、７…復水器、８…復水ポンプ、９…給水加熱器、１０…脱気器水位調節弁、１１…脱気器、１２…ボイラ給水ポンプ、１３…給水加熱器、１４…給水調節弁、２０…海水、３０…復水器水位制御系、３１…復水器スピルオーバ弁、４０…復水器、４１…復水ポンプ、４２…復水ポンプ、４３…給水加熱器、４４…脱気器水位調節弁、４５…脱気器、４６…ボイラ給水ポンプ、４７…給水加熱器、４８…給水調節弁、４９…ボイラ、５０…復水器高水位制御装置、５１…復水器スピルオーバ弁、５２…復水ポンプ停止信号、５３…復水器水位信号、５４…脱気器水位調節弁開度制限信号、５５…復水器スピルオーバ弁開度制限信号、５６…演算部、６０…タービン負荷、６１…復水器通常水位、６２…復水器最高水位、６３…復水器高水位制御装置作動設定値、６４…復水ポンプ４１通常通水量、６５…復水ポンプ４２通常通水量、６６…復水器高水位制御装置作動時の復水ポンプ通水量、６７…復水ポンプ過流量制限流量、６８…復水器高水位制御装置不動作時の復水ポンプ通水量、８０…復水ポンプ４１停止信号、８１…復水ポンプ４２停止信号、８２…復水器スピルオーバ弁、８３…タイマ。
【図１】
0003977960.tif 000002
【図２】
0003977960.tif 000003
【図３】
0003977960.tif 000004
【図４】
0003977960.tif 000005